(57)【要約】【課題】符号化されていないデータ信号に対し、データ依存性ジッタによるタイミングの揺らぎの影響を抑え、良好なデータ伝送品質を実現。【解決手段】本発明の光伝送システムは、データ信号を光信号として伝送する光伝送路４を有し、光伝送路４を伝送してきた光信号を電気信号に変換して出力する光伝送モジュール１と、クロック信号を出力する電気伝送路５と、データ信号及び上記クロック信号をそれぞれ受信し、２値信号として出力する受信処理部３５とを備えており、２値信号について、データ信号の立ち上がり開始時間に対し、クロック信号の立ち上がり開始時間を遅延させる遅延手段６を備え、遅延手段６によるクロック信号の遅延量が、データ依存性ジッタ（ＤＤＪ）の最大値以下の時間になっているので、データ依存性ジッタによるタイミングの揺らぎの影響を抑え、良好なデータ伝送品質を実現することができる。【選択図】図１
2010124437.tif 000002
【特許請求の範囲】
【請求項１】
データ信号を光信号として伝送する光伝送路を有し、光伝送路を伝送してきた光信号を電気信号に変換し、２値信号として出力する光伝送モジュールと、
クロック信号を２値信号として出力する電気伝送路と、
上記データ信号及び上記クロック信号それぞれについて、受信処理を行う受信処理手段とを備えた光伝送システムであって、
上記２値信号について、データ信号の立ち上がり開始時間に対し、クロック信号の立ち上がり開始時間を遅延させる第１の遅延手段を備え、該第１の遅延手段によるクロック信号の遅延量が、データ依存性ジッタ（ＤＤＪ）の最大値以下の時間になっていることを特徴とする光伝送システム。
【請求項２】
上記データ信号の立ち上がり時間のゆらぎを確定的な成分のジッタ（Deterministic jitter）とランダム成分のジッタ（Random jitter）との和としたとき、
上記確定的な成分のジッタは、データ信号のビット連続数Ｎ毎に定められたδ関数のピークに応じて分布する離散的な関数であり、
上記遅延量は、ビット連続数２におけるδ関数のピーク時間と、ビット連続数Ｎ−１におけるδ関数のピーク時間との間に設定されることを特徴とする請求項１に記載の光伝送システム。
【請求項３】
上記光伝送モジュールは、上記変換がなされた電気信号を増幅する増幅部と、
入力された信号のレベルと第１のしきい値のレベルとを比較し、比較結果に基づいて、データ信号について、高レベルの信号と低レベルの信号とを有する２値信号を生成する第１の２値信号生成部とを備え、
上記増幅部に入力される電気信号の電圧振幅の１／２をＶｉｎとし、上記第１のしきい値をＶｔｈとし、上記増幅部の利得の最大値をＧｍａｘとし、増幅部における伝送周波数に対する利得の増加率をαとし、データ信号の基本周波数をｆＴとし、光伝送モジュールの伝送可能レートｆｍｉｎとし、データ信号の立ち上がり時間をｔｒとし、データ信号における連続ビット数の最大値をＮとしたとき、
データ依存性ジッタ（ＤＤＪ）の最大値ＤＤＪ（ｍａｘ）は、下記式（Ｉ）
【数１】
2010124437.tif 000016
で表わされることを特徴とする請求項２に記載の光伝送システム。
【請求項４】
上記光伝送モジュールは、
データ信号を上記光信号に変換して送信する光送信部と、
光伝送路を伝送してきた光信号を受信し、電気信号に変換する光受信部とを有し、
上記第１の遅延手段は、電気伝送路であり、その配線長Ｌ２は、
光送信部及び光受信部のクロック信号に対する信号遅延時間をそれぞれ、ｔ（ｉｃ１）及びｔ（ｉｃ２）とし、上記光伝送路の配線長をＬ１とし、光伝送路の配線長をＬ２とし、光伝送路の屈折率をｎとし、光速をｃとし、電気伝送路の比誘電率をεｒとし、データ依存性ジッタ（ＤＤＪ）の最大値をＤＤＪ（ｍａｘ）とし、上記遅延量をＤＤＪ（ｍａｘ）／Ａとしたとき、下記式（１）
【数２】
2010124437.tif 000017
を満たすことを特徴とする請求項３に記載の光伝送システム。
【請求項５】
上記電気伝送路は、上記光伝送路の信号伝送方向と平行に配されており、かつ、
上記電気伝送路の配線長は、上記光伝送路よりも長くなっており、
上記電気伝送路を集積する集積基板を備え、該集積基板の信号伝送方向の長さが、上記光伝送路の配線長と等しくなっていることを特徴とする請求項４に記載の光伝送システム。
【請求項６】
上記電気伝送路は、集積基板の信号伝送方向の一端で、少なくとも１回往復するように配されていることを特徴とする請求項５に記載の光伝送システム。
【請求項７】
上記集積基板は、上記光伝送路よりも上記信号伝送方向に突出し、かつ、上記光伝送モジュールが搭載されている突出部を有し、
上記突出部は、電気配線がパターン形成された電気配線層を有し、該電気配線層の電気配線と上記電気伝送路とが接続していることを特徴とする請求項５に記載の光伝送システム。
【請求項８】
コネクタ端子を有するコネクタを備え、
上記集積基板には、同軸状に複数の電気伝送路が配され、各電気伝送路は、上記コネクタ端子と接続しており、
上記コネクタは、コネクタ端子間を短絡させるコネクタ短絡部を有し、該コネクタ短絡部は、電気伝送路における入力側と出力側とで、クロック信号が往復して伝送するように、配置されていることを特徴とする請求項５に記載の光伝送システム。
【請求項９】
上記遅延量は、データ依存性ジッタ（ＤＤＪ）の最大値の１／４〜３／４になっていることを特徴とする請求項２に記載の光伝送システム。
【請求項１０】
上記遅延量が、データ依存性ジッタ（ＤＤＪ）の最大値の１／２になっていることを特徴とする請求項９に記載の光伝送システム。
【請求項１１】
上記第１の遅延手段は、入力された信号のレベルと第２のしきい値のレベルとを比較し、比較結果に基づいて、クロック信号について、高レベルの信号と低レベルの信号とを有する２値信号を生成する第２の２値信号生成部を備え、
上記第２の２値信号生成部では、クロック信号に対する第２のしきい値のレベルが、データ信号に対する第１のしきい値のレベルよりも高く設定されていることを特徴とする請求項３に記載の光伝送システム。
【請求項１２】
データ信号の立ち上がり時間ｔｒ、及び振幅は、クロック信号の立ち上がり時間と等しくなっており、データ信号及びクロック信号の振幅の１／２をＶｏｄとし、上記第１のしきい値と上記第２のしきい値との差をΔＶｔｈとし、上記遅延量をｔｄとしたとき、
上記遅延量ｔｄは、下記式（２）
【数３】
2010124437.tif 000018
を満たすことを特徴とする請求項１１に記載の光伝送システム。
【請求項１３】
上記第１の遅延手段は、入力された信号のレベルとしきい値のレベルとを比較し、比較結果に基づいて、クロック信号について、高レベルの信号と低レベルの信号とを有する２値信号を生成する第２の２値信号生成部を備え、上記第２の２値信号生成部に入力する信号に対し、クロック信号の立ち上がり時間をデータ信号の立ち上がり時間よりも長くする処理を行うことを特徴とする請求項３に記載の光伝送システム。
【請求項１４】
データ信号及びクロック信号は、振幅が互いに等しくなっており、この振幅の１／２をＶｏｄとし、
データ信号の立ち上がり時間とクロック信号の立ち上がり時間との差をΔｔｒとし、上記第１のしきい値をＶｔｈとし、上記遅延量をｔｄとしたとき、
上記遅延量ｔｄは、下記式（３）
【数４】
2010124437.tif 000019
を満たすことを特徴とする請求項１３に記載の光伝送システム。
【請求項１５】
クロック信号の立ち上がり開始時間を遅延させる第２の遅延手段を備え、
第２の遅延手段によるクロック信号の遅延量は、光伝送モジュールの温度特性において、使用温度範囲における下限温度でのクロック信号に対するデータ信号の遅延量と、常温でのクロック信号に対するデータ信号の遅延量との差であることを特徴とする請求項１に記載の光伝送システム。
【請求項１６】
請求項１に記載の光伝送システムを備えた電子機器。
【発明の詳細な説明】
【技術分野】
【０００１】
本発明は、光伝送システム及びそれを備えた電子機器に関する。
【背景技術】
【０００２】
近年、携帯電話のＬＣＤ（Liquid Crystal Display）の高精細化にともない、ＬＣＤとアプリケーションプロセッサとの間のデータの伝送速度の高速化が要求されている。また、携帯電話の薄型化が進むにつれ、データ伝送のための配線の数の削減が要求されている。このような背景のもと、ＬＣＤとアプリケーションプロセッサとの間のデータの伝送方式として、従来のパラレル伝送に代わり、シリアル伝送が広く普及され始めている。現在、最も広く普及しているシリアル伝送では、データ信号及びクロック信号がともに差動伝送方式で伝送されている。このようなシリアル伝送では、不要輻射（ＥＭＩ；Electromagnetic interference）が、近年ますます深刻になる。それゆえ、ＥＭＩを低減するために、クロック信号は低速で伝送される。このような伝送方式においても、高速のデータ信号からのＥＭＩが深刻な問題になっている。
【０００３】
そこで、このような問題を解決するため、ＬＣＤとアプリケーションプロセッサとを光導波路などの光伝送路で接続し、データ信号を光信号として伝送する方法が試みられている。
【０００４】
光導波路は、コアと呼ばれる芯とそれを覆うクラッドと呼ばれる鞘の二重構造になっており、クラッドよりもコアの屈折率が高くなっている。これにより、コアに入射した光信号は、コア内部で全反射を繰り返すことによって伝搬される。
【０００５】
光伝送モジュールを用いることによって、例えば携帯電話機内に搭載される主制御基板からアプリケーション回路基板への高速かつ大容量のデータ信号の伝送が可能になる。このように、光伝送モジュールは、データ伝送モジュールとして非常に優れたものである。
【０００６】
その一方で、データ信号を光信号として伝送し、クロック信号を電気信号として伝送する場合、光受信部３にて両方の信号間で大きな遅延が生じる。それゆえ、データ信号及びクロック信号の両方を電気伝送するモジュールよりも、データ信号とクロック信号との間のスキュー(Skew：時間的なずれ)調整が大きな課題となる。
【０００７】
上記の課題に対し、例えば特許文献１では、送信装置側で、クロック信号の遅延量をメモリに蓄積し、該メモリに蓄積された遅延量だけ遅延してクロック信号を送信することで上記遅延を調整している。図２２は、特許文献１に記載された送受信装置の構成を示すブロック図である。
【０００８】
同図に示されるように、送信装置２００は、送信部２１４と、駆動部２１６と、レーザーダイオード２１８と、遅延部２２２と、遅延情報保持部２２４とを有する。送信部２１４は、データ信号及びクロック信号を、光ファイバ２３２及びクロック伝送ライン２３４の各伝送路へ送信するものである。駆動部２１６は、レーザーダイオード２１８に駆動電流を供給する。遅延部２２２は、受信装置から送信される位相差信号に応じた時間だけクロック信号を遅延する。遅延情報保持部２２４は、遅延部２２２により遅延される遅延時間を示すデータを保持するものである。特許文献１の送受信装置では、遅延情報保持部２２４のメモリ２４０に蓄積された、配線長から算出される遅延時間を示すデータに基づき、遅延部２２２がクロック信号を遅延させることにより、データ信号とクロック信号との遅延を調整するようになっている。
【特許文献１】特開２００７−１２４１３０号公報（平成１９(2007)年  ５月１７日公開）
【発明の開示】
【発明が解決しようとする課題】
【０００９】
通常、光伝送モジュールを伝送する光信号（データ信号）は、ビット連続を回避するため、８Ｂ１０Ｂ等などにより、符号化されている。特許文献１の送受信装置では、このような符号化されたデータ信号に対し、クロック信号とのタイミングを一致させることが可能である。
【００１０】
しかしながら、例えば携帯電話機等の電子機器内のデータ伝送においては、データ信号が符号化されていないことが多く、ビット連続によるデータ依存性ジッタ（ＤＤＪ）が発生する。それゆえ、特許文献１の送受信装置を、携帯電話機等の電子機器内のデータ伝送に適用した場合、このＤＤＪの影響で、データ信号とクロック信号とのタイミングを一致させることが困難であるという問題がある。
【００１１】
図２３は、ビット連続によるデータ依存ジッタ（ＤＤＪ）の発生を模式的に示した模式図である。同図に示されるように、光伝送モジュールの光配線を伝送するデータ信号では、同一の値（例えば「０」）が連続することにより、信号の立ち上がりのタイミングに揺らぎが生じる。データ依存性ジッタ（ＤＤＪ）とは、この信号立ち上がりのタイミングの揺らぎのことをいう。同図に示されるように、このデータ依存性ジッタは、データ信号における同一の値のビット連続長が長くなればなるほど、大きくなる。
【００１２】
図２４（ａ）は、データ依存性ジッタが発生していないデータ信号とクロック信号との関係を示すタイミングチャートであり、図２４（ｂ）は、データ依存性ジッタが発生しているデータ信号とクロック信号との関係を示すタイミングチャートである。
【００１３】
図２４（ａ）に示されるように、データ信号にデータ依存性ジッタが発生していない場合、特許文献１の技術のように、データ信号とクロック信号とのタイミングを一致させるような調整を行えば、信号のばらつきは、遅延部２２２（遅延回路）のプロセスばらつき、動作条件ばらつき等といった対称な分布になり、問題がない。
【００１４】
一方、図２４（ｂ）に示されるように、データ信号にデータ依存性ジッタが発生している場合、データ信号立ち上がりのタイミングは、ビット連続の増加とともに、時間軸ｔにおける遅れる方向（方向（ａ））に揺らぐ。このようにタイミングが非対称に揺らぐデータ信号に対し、特許文献１の技術を用いてクロック信号の遅延量を調整する場合、その調整は、図２４（ｂ）に示されるような、片方側に大きなばらつきが発生してしまう。それゆえ、データ依存性ジッタが発生しているデータ信号に対しては、特許文献１の技術を用いて、クロック信号とタイミングを正確に一致させることが困難である。
【００１５】
また、このような場合、特許文献１のように、電気配線長から算出される遅延時間等に基づいて、データ信号とクロック信号とのタイミングを一致させると、このＤＤＪの影響により、通信の品質が劣化してしまう。
【００１６】
また、このようにデータ依存性ジッタの影響により、データ信号立ち上がりのタイミング時間が大きく狂っている場合、ＩＣ回路による遅延時間の調整では限界がある。
【００１７】
本発明は、上記問題点に鑑みてなされたものであって、その目的は、符号化されていないデータ信号に対し、データ依存性ジッタによるタイミングの揺らぎの影響を抑え、良好なデータ伝送品質を実現できる光伝送システム及びそれを備えた電子機器を提供することにある。
【課題を解決するための手段】
【００１８】
本発明の光伝送システムは、上記の課題を解決するために、データ信号を光信号として伝送する光伝送路を有し、光伝送路を伝送してきた光信号を電気信号に変換し、２値信号として出力する光伝送モジュールと、クロック信号を２値信号として出力する電気伝送路と、上記データ信号及び上記クロック信号それぞれについて、受信処理を行う受信処理手段とを備えた光伝送システムであって、上記２値信号について、データ信号の立ち上がり開始時間に対し、クロック信号の立ち上がり開始時間を遅延させる第１の遅延手段を備え、該第１の遅延手段によるクロック信号の遅延量が、データ依存性ジッタ（ＤＤＪ）の最大値以下の時間になっていることを特徴としている。ここでいう「立ち上がり開始時間」とは、受信処理手段から出力される２値信号が立ち上がるタイミングのことをいう。
【００１９】
上記の構成によれば、上記２値信号について、データ信号の立ち上がり開始時間に対し、クロック信号の立ち上がり開始時間を遅延させる第１の遅延手段を備え、該第１の遅延手段によるクロック信号の遅延量が、データ依存性ジッタ（ＤＤＪ）の最大値以下の時間になっている。すなわち、予めクロック信号をデータ信号に対し遅延させ、その遅延量を、データ依存性ジッタ（ＤＤＪ）の最大値以下に調整している。このようにデータ信号に対しクロック信号が一定の時間だけ遅延するように設定されているので、クロック信号の立ち上がり開始時間に対する、データ依存性ジッタによるデータ信号の立ち上がり開始時間の分布を対称な分布とすることが可能になる。その結果、符号化されていないデータ信号であっても、データ依存性ジッタによるタイミングの揺らぎの影響を抑え、良好なデータ伝送品質を実現できる。
【００２０】
本発明の光伝送システムでは、上記データ信号の立ち上がり時間のゆらぎを確定的な成分のジッタ（Deterministic jitter）とランダム成分のジッタ（Random jitter）との和としたとき、上記確定的な成分のジッタは、データ信号のビット連続数Ｎ毎に定められたδ関数のピークに応じて分布する離散的な関数であり、上記遅延量は、ビット連続数２におけるδ関数のピーク時間と、ビット連続数Ｎ−１におけるδ関数のピーク時間との間に設定されることが好ましい。
【００２１】
上記の構成によれば、離散的な関数としての確定的な成分のジッタと、ランダム成分のジッタとの和が、データ信号の立ち上がり時間のゆらぎを示す分布になる。このような分布に対し、従来のように、ビット連続数１におけるδ関数のピーク時間にクロック信号のタイミングを合わせると、遅くなる方向の一定なビットエラーレートが大きくなり、良好な伝送特性を実現することが困難である。
【００２２】
上記の構成によれば、クロック信号の遅延量は、ビット連続数２におけるδ関数のピーク時間と、ビット連続数Ｎ−１におけるδ関数のピーク時間との間に設定されるので、データ信号のビット連続数が増加した場合でも、データ依存性ジッタ（ＤＤＪ）による影響を抑えることができる。
【００２３】
本発明の光伝送システムでは、上記光伝送モジュールは、上記変換がなされた電気信号を増幅する増幅部と、入力された信号のレベルと第１のしきい値のレベルとを比較し、比較結果に基づいて、データ信号について、高レベルの信号と低レベルの信号とを有する２値信号を生成する第１の２値信号生成部とを備え、上記増幅部に入力される電気信号の電圧振幅の１／２をＶｉｎとし、上記第１のしきい値をＶｔｈとし、上記増幅部の利得の最大値をＧｍａｘとし、増幅部における伝送周波数に対する利得の増加率をαとし、データ信号の基本周波数をｆＴとし、光伝送モジュールの伝送可能レートｆｍｉｎとし、データ信号の立ち上がり時間をｔｒとし、データ信号における連続ビット数の最大値をＮとしたとき、データ依存性ジッタ（ＤＤＪ）の最大値ＤＤＪ（ｍａｘ）は、下記式（Ｉ）
【００２４】
【数１】
2010124437.tif 000003
【００２５】
で表わされることが好ましい。
【００２６】
上記式（Ｉ）のように、データ依存性ジッタ（ＤＤＪ）の最大値ＤＤＪ（ｍａｘ）が表わされることにより、ビット連続の最大値Ｎに依存したＤＤＪ（ｍａｘ）を把握しやすくなるので、信号のばらつきをより確実に対称な分布にすることができる。
【００２７】
本発明の光伝送システムでは、上記光伝送モジュールは、データ信号を上記光信号に変換して送信する光送信部と、光伝送路を伝送してきた光信号を受信し、電気信号に変換する光受信部とを有し、上記第１の遅延手段は、電気伝送路であり、その配線長Ｌ２は、光送信部及び光受信部のクロック信号に対する信号遅延時間をそれぞれ、ｔ（ｉｃ１）及びｔ（ｉｃ２）とし、上記光伝送路の配線長をＬ１とし、光伝送路の配線長をＬ２とし、光伝送路の屈折率をｎとし、光速をｃとし、電気伝送路の比誘電率をεｒとし、データ依存性ジッタ（ＤＤＪ）の最大値をＤＤＪ（ｍａｘ）とし、上記遅延量をＤＤＪ（ｍａｘ）／Ａとしたとき、下記式（１）
【００２８】
【数２】
2010124437.tif 000004
【００２９】
を満たすことが好ましい。
【００３０】
上記式（１）に基づけば、クロック信号の出力をデータ依存性ジッタ（ＤＤＪ）以下の時間だけ遅延させるために必要なパラメータは、電気伝送路の配線長Ｌ２、及び電気伝送路を構成する材料の比誘電率εｒのみである。それゆえ、従来の遅延素子やＩＣを用いてクロック信号の遅延量を調整する場合と比較して、信号のばらつきが小さい調整が可能になる。
【００３１】
本発明の光伝送システムでは、上記電気伝送路は、上記光伝送路の信号伝送方向と平行に配されており、かつ、上記電気伝送路の配線長は、上記光伝送路よりも長くなっており、上記電気伝送路を集積する集積基板を備え、該集積基板の信号伝送方向の長さが、上記光伝送路の配線長と等しくなっていることが好ましい。
【００３２】
上記の構成によれば、電気伝送路は、集積基板に集積されている。そして、この集積基板における伝送方向の配線長は、光伝送路の配線長と同一になっている。このように集積基板の伝送方向の寸法を光伝送路と同じにすることにより、電気伝送路の外形、幅に影響を与えず、データ依存性ジッタによるクロック信号出力のタイミングのゆらぎの影響を抑えることができる。それゆえ、電気伝送路の省スペース化を実現することができる。
【００３３】
本発明の光伝送システムでは、上記電気伝送路は、集積基板の信号伝送方向の一端で、少なくとも１回往復するように配されていることが好ましい。
【００３４】
上記の構成によれば、電気伝送路は、集積基板の信号伝送方向の一端で、少なくとも１回往復するように配されている。これにより、上記往復の回数でクロック信号の遅延量を調整することできる。また、例えば各往復の長さが異なるようにパターン化することにより、精度よくクロック信号の遅延量を調整することができる。
【００３５】
本発明の光伝送システムでは、上記集積基板は、上記光伝送路よりも上記信号伝送方向に突出し、かつ、上記光伝送モジュールが搭載されている突出部を有し、上記突出部は、電気配線がパターン形成された電気配線層を有し、該電気配線層の電気配線と上記電気伝送路とが接続していることが好ましい。
【００３６】
上記の構成によれば、集積基板は、光伝送路よりも信号伝送方向に突出し、かつ、光伝送モジュールが搭載されている突出部を有している。そして、この突出部は、電気配線がパターン形成された電気配線層を有している。そして、電気配線層の電気配線と上記電気伝送路とが接続している。このようにこのように、集積基板に別途突出部が設けられた構成とし、この突出部内に電気配線層を形成することで、集積基板の外形を変えずに、電気伝送路の配線長を実質的に長くすることができる。
【００３７】
本発明の光伝送システムでは、コネクタ端子を有するコネクタを備え、上記集積基板には、同軸状に複数の電気伝送路が配され、各電気伝送路は、上記コネクタ端子と接続しており、上記コネクタは、コネクタ端子間を短絡させるコネクタ短絡部を有し、該コネクタ短絡部は、電気伝送路における入力側と出力側とで、クロック信号が往復して伝送するように、配置されていることが好ましい。
【００３８】
上記の構成によれば、コネクタには、コネクタ端子間を短絡させるコネクタ短絡部が設けられている。そして、コネクタ短絡部は、電気伝送路における入力側と出力側とで、クロック信号が往復して伝送するように配されている。このような構成とすることにより、集積基板の外形を変えずに、電気伝送路の配線長を実質的に長くすることができる。また、コネクタ端子間にコネクタ短絡部が設けられているので、電気伝送路のインピーダンスが安定している。それゆえ、クロック信号の波形制御が容易になる。
【００３９】
本発明の光伝送システムでは、上記遅延量は、データ依存性ジッタ（ＤＤＪ）の最大値の１／４〜３／４になっていることが好ましい。
【００４０】
上記の構成のように、クロック信号の遅延量が設定されることにより、特に８ｂ１０Ｂ符号化されたデータ信号に対し、データ依存性ジッタ（ＤＤＪ）による影響を抑えることができる。
【００４１】
本発明の光伝送システムでは、上記遅延量が、データ依存性ジッタ（ＤＤＪ）の最大値の１／２になっていることが好ましい。
【００４２】
これにより、クロック信号の立ち上がり開始時間が、クロック信号の立ち上がり開始時間よりも、遅いか、または早いかの何れかの時間になり、信号のばらつきを確実に対称な分布にすることができる。
【００４３】
本発明の光伝送システムでは、上記第１の遅延手段は、入力された信号のレベルと第２のしきい値のレベルとを比較し、比較結果に基づいて、クロック信号について、高レベルの信号と低レベルの信号とを有する２値信号を生成する第２の２値信号生成部を備え、上記第２の２値信号生成部では、クロック信号に対する第２のしきい値のレベルが、データ信号に対する第１のしきい値のレベルよりも高く設定されていることが好ましい。
【００４４】
上記の構成によれば、上記第２の２値信号生成部では、クロック信号に対する第２のしきい値のレベルが、データ信号に対する第１のしきい値のレベルよりも高く設定されているので、第２の２値信号生成部から出力したクロック信号は、データ信号に対し遅延することになる。
【００４５】
このクロック信号の遅延量がデータ依存性ジッタ（ＤＤＪ）の最大値以下の時間になるように、第１のしきい値及び第２のしきい値が設定されることで、データ依存性ジッタによるクロック信号出力のタイミングのゆらぎの影響を抑えることができる。
【００４６】
本発明の光伝送システムでは、データ信号の立ち上がり時間ｔｒ、及び振幅は、クロック信号の立ち上がり時間と等しくなっており、データ信号及びクロック信号の振幅の１／２をＶｏｄとし、上記第１のしきい値と上記第２のしきい値との差をΔＶｔｈとし、上記遅延量をｔｄとしたとき、上記遅延量ｔｄは、下記式（２）
【００４７】
【数３】
2010124437.tif 000005
【００４８】
を満たすことが好ましい。
【００４９】
本発明の光伝送システムでは、上記第１の遅延手段は、入力された信号のレベルとしきい値のレベルとを比較し、比較結果に基づいて、クロック信号について、高レベルの信号と低レベルの信号とを有する２値信号を生成する第２の２値信号生成部を備え、上記第２の２値信号生成部に入力する信号に対し、クロック信号の立ち上がり時間をデータ信号の立ち上がり時間よりも長くする処理を行うことが好ましい。
【００５０】
上記の構成によれば、クロック信号の立ち上がり時間がデータ信号の立ち上がり時間よりも長くなっている。つまり、クロック信号と比較して、データ信号が早く立ち上がっている。それゆえ、第２の２値信号生成部に入力するクロック信号は、データ信号と比較して、波形がなまった状態になる。そして、第２の２値信号生成部から出力したクロック信号は、データ信号に対し遅延することになる。
【００５１】
上記遅延手段は、このクロック信号の遅延量が、データ依存性ジッタ（ＤＤＪ）の最大値以下の時間になるように、データ信号及びクロック信号の立ち上がり時間を調整する処理を行う。それゆえ、データ依存性ジッタによるクロック信号出力のタイミングのゆらぎの影響を抑えることができる。さらには、データ依存性ジッタの低減と遅延の補償とを同時に実現することができる。また、上記のように、クロック信号と比較して、データ信号を早く立ち上がっていると、その分スルーレートが大きくなり、ジッタが小さくなるという効果を奏する。
【００５２】
本発明の光伝送システムでは、データ信号及びクロック信号は、振幅が互いに等しくなっており、この振幅の１／２をＶｏｄとし、データ信号の立ち上がり時間とクロック信号の立ち上がり時間との差をΔｔｒとし、上記しきい値をＶｔｈとし、上記遅延量をｔｄとしたとき、上記遅延量ｔｄは、下記式（３）
【００５３】
【数４】
2010124437.tif 000006
【００５４】
を満たすことが好ましい。
【００５５】
本発明の光伝送システムでは、クロック信号の立ち上がり開始時間を遅延させる第２の遅延手段を備え、第２の遅延手段によるクロック信号の遅延量は、光伝送モジュールの温度特性において、使用温度範囲における下限温度でのクロック信号に対するデータ信号の遅延量と、常温でのクロック信号に対するデータ信号の遅延量との差であることが好ましい。
【００５６】
上記の構成によれば、クロック信号の立ち上がり開始時間を遅延させる第２の遅延手段を備え、第２の遅延手段によるクロック信号の遅延量は、光伝送モジュールの温度特性において、使用温度範囲における下限温度でのクロック信号に対するデータ信号の遅延量と、常温におけるクロック信号に対するデータ信号の遅延量との差であるので、広範な温度範囲に渡って良好な信号伝送品質を維持できる光伝送システムを実現できる。
【００５７】
本発明の電子機器は、上記の課題を解決するために、上述の光伝送システムを備えたことを特徴としている。
【００５８】
これにより、符号化されていないデータ信号に対し、データ依存性ジッタによるタイミングの揺らぎの影響を抑え、良好なデータ伝送品質の電子機器を実現できる。
【発明の効果】
【００５９】
本発明の光伝送システムは、以上のように、上記２値信号について、データ信号の立ち上がり開始時間に対し、クロック信号の立ち上がり開始時間を遅延させる第１の遅延手段を備え、該第１の遅延手段によるクロック信号の遅延量が、データ依存性ジッタ（ＤＤＪ）の最大値以下の時間になっている構成である。
【００６０】
本発明の電子機器は、以上のように、上記光伝送システムを備えた構成である。
【００６１】
それゆえ、符号化されていないデータ信号に対し、データ依存性ジッタによるタイミングの揺らぎの影響を抑え、良好なデータ伝送品質を実現できる。
【発明を実施するための最良の形態】
【００６２】
本発明の一実施形態について図１ないし図２１に基づいて説明すると以下の通りである。
【００６３】
すなわち、本実施形態では、操作キーを備える本体部と、表示画面を備える蓋部と、上記本体部に上記蓋部を回転可能に接続するヒンジ部とからなる折り畳み式携帯電話機において、上記本体部及び上記蓋部の間での情報（データ）伝送を上記ヒンジ部内に設けられた光伝送モジュールを介して行う構成を例に挙げて説明する。
【００６４】
図１は、本実施形態の折り畳み式携帯電話機４０内に設けられた光伝送システム１００の概略構成を示すブロック図である。図２（ａ）は本実施形態の光伝送モジュール１を内蔵した折り畳み式携帯電話機４０の外観を示す斜視図である。図２（ｂ）は、図２（ａ）におけるヒンジ部４１（破線で囲んだ部分）の透視平面図である。
【００６５】
図１（ａ）及び図２（ａ）・（ｂ）に示すように、本実施の形態に係る折り畳み式携帯電話機４０（以下、単に携帯電話機４０と示す）は、本体部４２と、本体部４２の一端に設けられたヒンジ部４１と、ヒンジ部４１を軸として回転可能に設けられた蓋部４３とから構成されている。
【００６６】
本体部４２は、携帯電話機４０を操作するための操作キー４４を備えるとともに、その内部に主制御基板２０を備えている。蓋部４３は、外部に表示画面４５及びカメラ（図示せず）を備えるとともに、内部にアプリケーション回路基板３０を備えている。ドライバ３９などが搭載されている。
【００６７】
上述のような構成を有する携帯電話機４０において、主制御基板２０とアプリケーション回路基板との間のデータ信号の伝送は、光伝送モジュール１を介して行われる。一方、クロック信号の伝送は、電気伝送路５を介して行われる。
【００６８】
図１（ａ）に示されるように、本体部４２側の主制御基板２０は、自基板２０に搭載される各素子（図示せず）を統括制御するＣＰＵ（信号発生部）２９、及び送信処理部２５を備えている。このＣＰＵ２９は、光伝送モジュール１の光送信部２へデータ信号を出力する一方、電気伝送路５へクロック信号を伝送する。送信処理部２５は、ＣＰＵ２９から出力される信号の送信処理を行うものであり、例えば、ＣＰＵ２９から出力される信号をパラレル／シリアル変換するシリアライザーを備える。
【００６９】
アプリケーション回路基板３０は、受信処理部（受信処理手段）３５、ＣＰＵ２９から転送される画像データ（２値信号）に基づいて画像を表示するＬＣＤ（Liquid Crystal Display）（図示せず）、ＬＣＤを駆動制御する駆動部としてのＬＣＤドライバ（制御部）３９とを備えている。受信処理部３５は、光伝送モジュール１及び電気伝送路５から出力される、データ信号及びクロック信号を受信し、ＬＣＤドライバ３９へ出力する。受信処理部３５は、データ信号及びクロック信号それぞれを受信するＩＦ回路、及びデシリアライザーを備え、ＩＦ回路から出力した２値信号を、デシリアライザーにより、シリアル／パラレル変換し、受信処理を行う。ＬＣＤドライバ３９は、光伝送モジュール１を伝送するデータ信号（２値信号）に対し、電気伝送路５を伝送するクロック信号（２値信号）に基づいて、出力制御を行う。
【００７０】
なお、図１の構成は、受信処理部３５からＬＣＤドライバ３９へパラレル信号を伝送する構成であるが、光伝送システム１００はこの構成に限定されるものではない。例えば、光伝送システム１００は、ＬＣＤドライバ３９内に受信処理部３５、及びＲＧＢＩＦ回路を備え、受信処理部３５からＲＧＢＩＦ回路へパラレル信号を伝送する構成であってもよい。また、図１の構成は、ＣＰＵ２９から送信処理部２５へパラレル信号を伝送する構成であったが、光伝送システム１００はこの構成に限定されるものではない。例えば、光伝送システム１００は、ＣＰＵ２９内に送信処理部２５、及びＬＣＤＩＦ回路を備え、ＬＣＤＩＦ回路から送信処理部２５へパラレル信号を伝送する構成であってもよい。
【００７１】
（光伝送モジュールの構成）
次に図１（ｂ）を参照して上記光伝送モジュール１の構成について説明する。図１（ｂ）は、本実施の形態に係る携帯電話機４０における、光伝送モジュール１の概略構成を示すブロック図である。
【００７２】
同図に示すように、光伝送モジュール１は、ＣＰＵ２９を搭載する主制御基板２０に接続される光送信部２と、ＬＣＤドライバ３９などのアプリケーション回路を搭載するアプリケーション回路基板３０に接続される光受信部３と、光送信部２及び光受信部３同士を接続する光配線となる光伝送路４とを備えてなる構成である。
【００７３】
上記光伝送路４は、発光部２３から出射されるデータ信号としての光信号を受光部３１まで伝送する媒体である。光伝送路４の詳細については後述する。
【００７４】
図１（ｂ）に示すように光送信部２は、インターフェイス回路（以下、Ｉ／Ｆ回路と記す）２１、発光駆動部（光変換器）２２、及び発光部２３を備えてなる構成である。
【００７５】
上記Ｉ／Ｆ回路２１は、外部から周波数レベルの異なる信号を受信するための回路である。このＩ／Ｆ回路２１は、外部から光伝送モジュール１内に入力される電気信号の電気配線と発光駆動部２２との間に設けられている。
【００７６】
上記発光駆動部２２は、Ｉ／Ｆ回路２１を介して外部から光伝送モジュール１内に入力された電気信号に基づいて発光部２３の発光を駆動するものである。この発光駆動部２２は、例えば発光駆動用のＩＣ（Integrated Circuit）によって構成することができる。
【００７７】
発光部２３は、発光駆動部２２による駆動制御に基づいて発光するものである。この発光部２３は、例えばＶＣＳＥＬ（Vertical Cavity-Surface Emitting Laser）などの発光素子によって構成することができる。この発光部２３から発せられた光は、光信号として光伝送路４の光入射側端部に照射される。
【００７８】
このように、光送信部２は、該光送信部２に入力される電気信号を、該電気信号に応じた光信号に変換して、光伝送路４に出力する。
【００７９】
次に、光受信部３は、受光部３１、検出回路３２、増幅部（アンプ）３３、及びＩ／Ｆ回路３４を備えてなる構成である。
【００８０】
上記受光部３１は、光伝送路４の光出射側端部から出射された光信号としての光を受光し、光電変換によって電気信号を出力するものである。この受光部３１は、データ信号を出力するものであり、例えばＰＤ（Photo-Diode）などの受光素子によって構成することができる。また、検出回路３２は、受光部３１が光信号を受信したか否かを判断する。
【００８１】
増幅部３３は、受光部３１・検出回路３２から出力された電気信号を所望の値に増幅して外部に出力するものである。この増幅部３３は、例えば増幅用のＩＣによって構成することができる。
【００８２】
Ｉ／Ｆ回路３４は、増幅部３３により増幅された電気信号を光伝送モジュール１の外部へ出力するための回路である。Ｉ／Ｆ回路３４は、外部へ電気信号を伝送する電気配線と接続しており、増幅部３３とこの電気配線との間に設けられる。
【００８３】
このように、光受信部３は、光伝送路４を通じて光送信部２から出力される光信号を受信して、該光信号に応じた電気信号に変換した後、所望の信号値に増幅して外部に出力することができる。
【００８４】
（光伝送路の構成）
次に、光伝送路４の詳細について図３（ａ）及び図３（ｂ）を用いて説明する。図３（ａ）は、光伝送路４の側面図を示している。同図に示すように、光伝送路４は、光伝送方向を軸とする柱状形状のコア部４αと、コア部４αの周囲を囲むように設けられたクラッド部４βとを備えた構成となっている。コア部４α及びクラッド部４βは透光性を有する材料によって構成されているとともに、コア部４αの屈折率は、クラッド部４βの屈折率よりも高くなっている。これにより、コア部４αに入射した光信号は、コア部４α内部で全反射を繰り返すことによって光伝送方向に伝送される。
【００８５】
コア部４α及びクラッド部４βを構成する材料としては、ガラスやプラスチックなどを用いることが可能であるが、十分な可撓性を有する光伝送路４を構成するためには、アクリル系、エポキシ系、ウレタン系、及びシリコーン系等の樹脂材料を使用することが好ましい。また、クラッド部４βを空気などの気体で構成してもよい。さらに、クラッド部４βをコア部４αよりも屈折率の小さい液体の雰囲気下において使用しても同様の効果が得られる。
【００８６】
次に、光伝送路４による光伝送の仕組みについて図３（ｂ）を用いて説明する。図３（ｂ）は、光伝送路４における光伝送の状態を模式的に示している。同図に示すように、光伝送路４は可撓性を有する柱状形状の部材によって構成される。また、光伝送路４の光入射側端部には光入射面４Ａが設けられているとともに、光出射側端部には光出射面４Ｂが設けられている。
【００８７】
発光部２３から出射された光は、光伝送路４の光伝送方向に対して直角または略直角となる方向から、光伝送路４の光入射側端部に入射される。入射された光は、光入射面４Ａにおいて反射されることによって光伝送路４内に導入されコア部４α内を進行する。光伝送路４内を進行して光出射側端部に到達した光は、光出射面４Ｂにおいて反射されることによって、光伝送路４の光伝送方向に対して直角または略直角となる方向へ出射される。出射された光は、受光部３１に照射され、受光部３１において光電変換が行われる。
【００８８】
このような構成によれば、光伝送路４における光伝送方向に対して直角または略直角となる方向に、光源としての発光部２３を配置する構成とすることが可能となる。よって、例えば基板面に平行に光伝送路４を配置することが必要とされる場合に、光伝送路４と基板面との間に、該基板面の法線方向に光を出射するように発光部２３を設置すればよいことになる。このような構成は、例えば発光部２３を基板面に平行に光を出射するように設置する構成よりも、実装が容易であり、また、構成としてもよりコンパクトにすることができる。これは、発光部２３の一般的な構成が、光を出射する方向のサイズよりも、光を出射する方向に直角な方向のサイズの方が大きくなっていることによるものである。さらに同一面内に電極と発光部２３がある平面実装向け発光素子を使用する構成にも適用が可能である。
【００８９】
なお、同図に示す光伝送路４は、上述のように、光入射面４Ａ及び光出射面４Ｂが傾斜している構成であるが、本実施形態における光伝送路４は、両端面が光伝送方向に対して直交する構成であってもよい。すなわち、光伝送路４の外形が、直方体状に形成されていてもよい。
【００９０】
（電気伝送路の構成）
次に、上記電気伝送路５の詳細について説明する。電気伝送路５は、光伝送路４に並行して設けられ、ＣＰＵ２９とＬＣＤドライバ３９とを接続し、ＣＰＵ２９から出力されるクロック信号をＬＣＤドライバ３９に伝送するものである。
【００９１】
この電気伝送路５は、具体的には、例えば、フレキシブルプリント基板（ＦＰＣ）、同軸ケーブル等により構成される。図４は、電気伝送路５がＦＰＣで構成されている場合の光伝送モジュール１の概略構成を示す斜視図である。このように、光伝送路４および電気伝送路５をフレキシブルな配線により構成することで、光伝送モジュール１を携帯機器等の小型の電子機器に適用することができる。
【００９２】
（光伝送モジュール１におけるデータ信号に対するクロック信号のタイミング制御について）
光伝送システム１００において、光伝送モジュール１から出力されるデータ信号、及び電気伝送路５から出力されるクロック信号は、ともに、受信処理部（受信処理手段）３５に入力される（図１（ａ）参照）。光伝送システム１００は、受信処理部３５に入力されるデータ信号に対するクロック信号の出力タイミング制御に特徴がある。
【００９３】
すなわち、図５（ａ）に示されるように、光伝送システム１００は、クロック信号の出力のタイミングを制御し、クロック信号の立ち上がり開始時間（立ち上がりエッジ時間ともいう）を、データ信号の立ち上がり開始時間に対し、データ依存性ジッタ（ＤＤＪ）以下の時間だけ遅延させる遅延手段（第１の遅延手段）６を備えている。
【００９４】
なお、「データ依存性ジッタ（ＤＤＪ）」は、以下のように定義することができる。すなわち、ＤＤＪ＝ＩＳＩ＋ＤＣＤとして、定義され得る。ＤＣＤは、データ依存性であるが、ＩＳＩと異なる要因（ＤＣバランス（「１」の値の信号の数と「０」の値の信号の数との比）の崩れ）で発生する。
【００９５】
具体的には、ＩＳＩは、本来「０」の値である時間に、信号波形のなまりや立ち上がり（エッジ）時間の遅れにより、「１」の値の信号が入り込むことにより発生するジッタである。これに対し、ＤＣＤは、信号波形のデューティ比（「１」の値の信号または「０」の値の信号の時間軸上の幅）が揺らぐジッタを指す。ここで、遅延手段６による遅延の対象は、ＩＳＩであり、ＤＣＤは対象外である。
【００９６】
図５（ｂ）は、遅延手段６を備えた光伝送システム１００における、データ信号とクロック信号との関係を示すタイミングチャートである。同図に示されるように、クロック信号の遅延量ｔｄは、データ信号のデータ依存性ジッタ（ＤＤＪ）以下になっている。このように、クロック信号の遅延量ｔｄを調整することにより、データ信号が符号化されていない場合に発生するデータ依存性ジッタによるクロック信号出力のタイミングのゆらぎの影響を抑えることができる。その結果、通信品質が良好な光伝送システムを実現することができる。
【００９７】
以下、この効果について、図６（ａ）及び図６（ｂ）に基づいて、さらに詳述する。図６（ａ）は、光伝送モジュールを伝送するデータ信号を模式的に示した模式図であり、図６（ｂ）は、データ信号におけるデータ依存性ジッタ（ＤＤＪ）と、クロック信号の遅延量ｔｄとの関係を示した図である。図６（ｂ）では、データ信号の「０」の値が連続した場合について、説明している。なお、データ信号の「１」の値が連続している場合においても同様であるので、ここでは省略している。
【００９８】
図６（ｂ）に示されるように、受信処理部３５におけるデータ信号の立ち上がり開始時間は、「０」の値の連続回数が１からＮへ増加するほど、遅くなる傾向にある。例えば、受信処理部３５が、「０」の値が３回連続したデータ信号を出力する場合、３回目の「０」の値の出力電圧の立ち上がり開始時間は、１回目の「０」の値の出力電圧の立ち上がり開始時間よりも遅くなる。そして、このような立ち上がり開始時間の遅延は、データ信号における「０」の値の連続回数が大きければ大きいほど、顕著になる。データ依存性ジッタ（ＤＤＪ）は、「０」の値が最大Ｎ回連続したデータ信号において、１回目の「０」の値の出力電圧の立ち上がり開始時間に対するＮ回目の「０」の値の出力電圧の立ち上がり開始時間の遅延量と表現ずることができる。
【００９９】
光伝送システム１００においては、データ信号は符号化によるＤＣバランスが成されておらず、上記のようなデータ依存性ジッタ（ＤＤＪ）が顕著になる。このデータ依存性ジッタは、光伝送モジュール１における光送信部２及び光受信部３の光送受信ＩＣ帯域の劣化によるものである。それゆえ、データ依存性ジッタは、時間が遅れる方向（＋ｔ方向）にしか発生せず、データ信号の立ち上がり開始時間の分布は、非対称な分布になる。このように非対称な分布になったデータ信号の立ち上がり開始時間に対し、クロック信号の立ち上がり開始時間が一致するように、クロック信号の遅延量を調整する場合、特許文献１のような「遅延回路」を用いた技術では調整が困難である。
【０１００】
遅延回路を用いた場合、信号のばらつきは、遅延回路のプロセスばらつきや動作条件ばらつき等といった対称な分布になる。それゆえ、データ信号が符号化され、「０」の値の連続が比較的少なく、ＤＣバランスが成されている場合には、データ信号とクロック信号とのタイミングを一致させることで信号のばらつきを小さくすることができた。
【０１０１】
しかしながら、上記のように、データ信号の立ち上がり開始時間の分布が、非対称な分布になっている場合、信号のばらつきは、非対称になり、特許文献１のような遅延回路を用いた調整では対応できない。
【０１０２】
光伝送システム１００によれば、予めクロック信号をデータ信号に対し遅延させ、その遅延量ｔｄを、データ信号における「０」の値のＮ回連続の立ち上がり開始時間の遅延量（ＤＤＪ）以下に調整している。このようにデータ信号に対しクロック信号が一定の時間だけ遅延するように設定しているので、クロック信号の立ち上がり開始時間に対する、データ依存性ジッタによるデータ信号の立ち上がり開始時間の分布を対称な分布とすることが可能になる。（データ依存性ジッタにより「０」の値を示す電圧の立ち上がり開始時間が遅延しても、その遅延時間が、クロック信号の立ち上がり開始時間よりも、遅いか、または早いかの何れかの場合があり、調整のばらつきが対称な分布になる。）その結果、符号化されていないデータ信号に対し、データ依存性ジッタによるタイミングの揺らぎの影響を抑え、良好なデータ伝送品質を実現できる。
【０１０３】
また、光伝送システム１００においては、遅延手段６によるクロック信号の遅延量ｔｄは、データ信号のデータ依存性ジッタの最大値以下の時間であればよい。好ましくは、遅延量ｔｄは、データ依存性ジッタ（ＤＤＪ）の最大値の１／４〜３／４である。最も好ましくは、遅延量ｔｄは、データ依存性ジッタ（ＤＤＪ）の最大値の１／２である。
【０１０４】
以下、遅延手段６によるクロック信号の遅延量ｔｄと、データ依存性ジッタ（ＤＤＪ）との関係について説明する。まず、実際のデータ依存性ジッタの影響によるデータ信号の立ち上がりのタイミングの揺らぎを説明する前に、一般的なデータ信号の立ち上がり開始時間のタイミングの揺らぎについて説明する。図７（ａ）は、データ信号のタイミング揺らぎを構成するジッタを示した模式図であり、図７（ｂ）は、図７（ａ）に示されたジッタの和としてのデータ信号のタイミング揺らぎの分布を示した模式図である。
【０１０５】
図７（ａ）に示されるように、データ信号のタイミング揺らぎは、確定的な成分のジッタ（Deterministic jitter）とランダム成分のジッタ（Random jitter）とにより構成されたジッタが要因になっている。そして、データ信号の立ち上がり揺らぎは、確定的な成分のジッタ（Deterministic jitter）とランダム成分のジッタ（Random jitter）との和として表わされ、図７（ｂ）に示される「totalのタイミング揺らぎ」のような分布になる。ここで、タイミングマージンをＭ〔ｐｓ〕としたとき、タイミングマージンＭの範囲で「totalのタイミング揺らぎ」の分布を積分した値が、光伝送システムにおいて正確にデータ伝送することができるビットの割合になる。
【０１０６】
ここで、図８を参照して、データ依存性ジッタの影響によるデータ信号の立ち上がりのタイミングの揺らぎを説明する。図８（ａ）は、データ依存性ジッタの影響によるデータ信号の立ち上がりのタイミングの揺らぎの分布を示した図である。
【０１０７】
図７（ｂ）においては、確定的な成分のジッタ（Deterministic jitter）を一様な分布として想定している。しかしながら、実際には、データ依存性ジッタの影響により、この確定的な成分のジッタ（Deterministic jitter）は、一様ではない。この確定的な成分のジッタは、図８（ａ）に示されるように、ビット連続数に応じた離散的な関数になる。また、同図に示されるように、このビット連続数（１〜ｎ）毎に、δ関数が設定される。
【０１０８】
このような離散的な関数としての確定的な成分のジッタと、ガウス関数としてのランダム成分のジッタとの和が、「totalのタイミング揺らぎ」となる。この確定的な成分のジッタは、データに依存して、確定的に発生する分布である。そして、この確定的な成分のジッタに、各ビット連続数のδ関数をピークとするランダム成分のジッタが加わる。それゆえ、「totalのタイミング揺らぎ」における、ｔ＜０、及びｔ＞ＤＤＪの最大値の範囲は、ガウシアン分布になっており、発生確率が、互いに等しく、対称になっている。このような分布に対し、良好な伝送特性を実現する場合、確定的な成分のジッタのｔ＝０の時点にクロック信号のタイミングを合わせる一般的な方法では、遅くなる方向（＋ｔ方向）の一定なビットエラーレート（ＢＥＲ：totalビット数に対するエラービットの割合）が大きくなる。それゆえ、上記の一般的な方法では、良好な伝送特性を実現することが困難である。
【０１０９】
したがって、光伝送システム１００の遅延手段６によるクロック信号の遅延量は、ビット連続数２におけるδ関数のピーク時間と、ビット連続数Ｎ−１におけるδ関数のピーク時間との間に設定されることが好ましい。これにより、データ信号のビット連続数が増加した場合でも、データ依存性ジッタ（ＤＤＪ）による影響を抑えることができる。
【０１１０】
例えば、８ｂ１０Ｂ符号化システムにおいてもビット連続が発生し、そのビット連続数の最大値Ｎ＝５である。このシステムに対しても、上記と同様に考え、遅延手段６によるクロック信号の遅延量を設定することができる。図８（ｂ）は、８ｂ１０Ｂ符号化されたデータ信号における、データ依存性ジッタの影響による信号立ち上がりのタイミングの揺らぎの分布を示した図である。
【０１１１】
同図に示されるように、各ビット連続数毎のδ関数のピーク間の間隔は、等間隔であると近似的に考えることができる。それゆえ、ビット連続数２のときのデータ信号の立ち上がり時間（δ関数のピーク時間）は、１／４ＤＪＪ（ＤＪＪの最大値の１／４）となる。また、ビット連続数４のときのデータ信号の立ち上がり時間（δ関数のピーク時間）は、３／４ＤＪＪ（ＤＪＪの最大値の３／４）となる。上記と同様に考えると、遅延手段６によるクロック信号の遅延量は、１／４ＤＪＪと３／４ＤＪＪとの間に設定されることが好ましい。これにより、データ信号のビット連続数が増加した場合でも、データ依存性ジッタ（ＤＤＪ）による影響を抑えることができる。
【０１１２】
また、特に、遅延手段６によるクロック信号の遅延量は、データ依存性ジッタ（ＤＤＪ）の１／２である場合、クロック信号の立ち上がり開始時間が、クロック信号の立ち上がり開始時間よりも、遅いか、または早いかの何れかの時間になり、信号のばらつきを確実に対称な分布にすることができる。
【０１１３】
光伝送システム１００において、データ依存性ジッタは、光伝送モジュール１の光受信部３におけるデータ信号の信号振幅の損失に起因して発生する。それゆえ、データ依存性ジッタの最大値（ＤＤＪ（ｍａｘ））は、光受信部３の周波数特性に依存して決定される値である。以下、データ依存性ジッタ（ＤＤＪ）について、更に詳述する。
【０１１４】
図９（ａ）は、光受信部３におけるデータ信号の信号振幅の損失とデータ依存性ジッタとの関係を説明するための説明図であり、図９（ｂ）は、光受信部３に備えられたＡＭＰ回路（増幅部３３）の周波数特性を示し、周波数と利得との関係を示したグラフである。
【０１１５】
図９（ａ）に示されるように、受光素子（ＰＤ）、ＴＩＡ回路、ＡＭＰ回路、及びインバータ（Inverter）回路（第１の２値信号生成部）が、光受信部３内に備えられている。同図に示された光受信部３の構成において、受光素子（ＰＤ）は、受光部３１に相当する。そして、ＴＩＡ回路は、検出回路３２に備えられている。また、ＡＭＰ回路は、増幅部３３に備えられている。
【０１１６】
同図に示される受光素子（ＰＤ）は、光伝送路４より伝送された光信号を受光し電流に変換する。ＴＩＡ回路（トランスインピーダンスアンプ回路）は、受光素子（ＰＤ）にて変換された電流を電圧に変換し増幅し、電圧信号として出力する。ＴＩＡ回路から出力した電圧信号は、ＡＭＰ回路により増幅され、インバータ回路にてデジタル化される。
【０１１７】
光受信部３は、通常、ｆｍｉｎ以上の周波数で動作する。この伝送可能な周波数の下限値ｆｍｉｎを「伝送可能レートｆｍｉｎ」とする。また、光受信ＩＣに入力される信号の基本周波数をｆＴとする。このとき、ＡＭＰ回路に同一の値が最大Ｎビット連続する信号が入力されるシステムにおいては、伝送信号に含まれるパルスの最小周波数は、ｆＴ／Ｎになる。一般的に、ＡＭＰ回路の周波数特性は、図９（ｂ）に示されるようなグラフになり、周波数が低い入力信号に対して、増幅されないようになっている。このような周波数特性により、光受信ＩＣ内のインバータ回路（ＣＭＯＳスイッチ）に入力される信号の振幅に差が生じる。その結果、インバータ回路がオンになる時間に遅延が生じ、この遅延がデータ依存性ジッタ（ＤＤＪ）となる。
【０１１８】
具体的には、図９（ｂ）に示されるＡＭＰ回路の周波数特性から、動作する周波数が伝送可能レートｆｍｉｎ以上であるとき、利得が最大値Ｇｍａｘになる。基本周波数ｆＴは伝送可能レートｆｍｉｎよりも大きくなるように設定されており、最大の利得Ｇｍａｘが得られるようになっている。ここで、ＡＭＰ回路に同一の値が最大Ｎビット連続する信号（以下、Ｎビット連続信号とする）が入力される場合の利得について、説明する。
【０１１９】
図９（ｂ）に示されるように、ＡＭＰ回路にＮビット連続信号が入力される場合、その信号伝送レートは、伝送可能レートｆｍｉｎよりも低く、ｆＴ／Ｎになる。このため、利得Ｇ２は、Ｇｍａｘよりも低い値になり、下記式（ａ）で表わされる。
【０１２０】
【数５】
2010124437.tif 000007
【０１２１】
上記式（ａ）において、αは、ＡＭＰ回路の周波数に対する利得の増加率を表わす。
【０１２２】
ここで、ＡＭＰ回路に入力される電圧信号の振幅の１／２をＶｉｎとし、ＡＭＰ回路が、1) 「１０１０」の信号を出力する場合、及び2) Ｎビット連続信号を出力する場合における信号遅延時間について、説明する。
【０１２３】
まず、1) 「１０１０」の信号を出力する場合、ＡＭＰ回路から出力される信号振幅Ｖ１は、下記式（ｂ）で表わされる。
【０１２４】
【数６】
2010124437.tif 000008
【０１２５】
そして、ＡＭＰ回路から出力される信号がインバータ回路にてデジタル化するときのしきい値電圧をＶｔｈとすると、「１０１０」の信号の信号遅延時間Δｔ１は、以下の式（ｃ）で表わされる。
【０１２６】
【数７】
2010124437.tif 000009
【０１２７】
上記式（ｃ）において、ｔｒは、信号が、信号振幅の２０％から８０％までの立ち上がりに要する立ち上がり時間を表わす。
【０１２８】
また、2) Ｎビット連続信号を出力する場合、ＡＭＰ回路から出力する信号振幅Ｖ２は、下記式（ｄ）で表わされる。
【０１２９】
【数８】
2010124437.tif 000010
【０１３０】
また、Ｎビット連続信号の信号遅延時間Δｔ２は、以下の式（ｅ）で表わされる。
【０１３１】
【数９】
2010124437.tif 000011
【０１３２】
ここで、Ｎビット連続信号の入力によるデータ依存性ジッタＤＤＪ（ｍａｘ）は、Δｔ２とΔｔ１との差、すなわち、Δｔ２−Δｔ１である。したがって、データ依存性ジッタＤＤＪ（ｍａｘ）は、下記式（Ｉ）のように表わすことができる。
【０１３３】
【数１０】
2010124437.tif 000012
【０１３４】
上記式（Ｉ）における、α、ｔｒ、Ｇｍａｘ、Ｖｔｈ、Ｖｉｎ、ｆｍｉｎ、ｆＴといったパラメータは、光受信部３を構成する各種回路により適宜設定されうる。そして、データ依存性ジッタＤＤＪ（ｍａｘ）は、上記式（Ｉ）に基づき、このように設定された各パラメータより算出することができる。
【０１３５】
また、データ信号のビット連続数の最大値Ｎは、適用すべき光伝送システムに応じて、適宜決定しうる。それゆえ、このようにビット連続数の最大値が決定されうるので、データ信号に発生するデータ依存性ジッタも決定される。
【０１３６】
図１０（ａ）は、データ信号としてのＲＧＢ信号におけるビット連続数を説明するための説明図である。また、図１０（ｂ）は、データ信号としてのＣＰＵ信号におけるビット連続数を説明するための説明図である。
【０１３７】
図１０（ａ）に示されるように、ＲＧＢ信号は、Ｒ（赤）信号、Ｇ（緑）信号、Ｂ（青）信号、及び制御信号から構成されている。また、Ｒ（赤）信号、Ｇ（緑）信号、及びＢ（青）信号のビット数はそれぞれ、階調数Ｘに依存している。それゆえ、光伝送システム１００がデータ信号としてＲＧＢ信号を伝送した場合、表示すべき色の階調数Ｘに応じて、ビット連続数の最大値Ｎが決定される。
【０１３８】
例えば、表示すべき色の階調数Ｘ＝１８である（１８階調表示；１８．２６万色）場合、ビット連続数の最大値Ｎは、２１ビット（＝１８ビット（ＲＧＢ）＋３ビット（制御））である。また、階調数Ｘ＝２４である（２４階調表示；２４．１６７７万色）場合、ビット連続数の最大値Ｎは、２７ビット（＝２４ビット（ＲＧＢ）＋３ビット（制御））である。また、階調数Ｘ＝１６である（１６階調表示；Ｒ：６，Ｇ：５，Ｂ：６．５万色）場合、ビット連続数の最大値Ｎは、１９ビット（＝２４ビット（ＲＧＢ）＋３ビット（制御））である。
【０１３９】
また、光伝送システム１００がデータ信号としてＣＰＵ信号を伝送した場合、データビット数Ｘ’に応じて、ビット連続数の最大値Ｎが決定される。図１０（ｂ）に示されるように、ＣＰＵ信号は、制御信号及びＣＰＵデータ信号から構成されている。そして、ＣＰＵ信号のビット数は、ＣＰＵデータ信号のデータビット数Ｘ’に依存している。
【０１４０】
例えば、ＣＰＵ信号が８ビットのＣＰＵデータである場合、ビット連続数の最大値Ｎは、１１ビット（＝８ビット（ＣＰＵデータ）＋３ビット（制御））である。また、ＣＰＵ信号が１６ビットのＣＰＵデータである場合、ビット連続数の最大値Ｎは、１９ビット（＝１６ビット（ＣＰＵデータ）＋３ビット（制御））である。また、ＣＰＵ信号が３２ビットのＣＰＵデータである場合、ビット連続数の最大値Ｎは、３５ビット（＝３２ビット（ＣＰＵデータ）＋３ビット（制御））である。
【０１４１】
（遅延手段６について）
上述したように、光伝送システム１００においては、遅延手段６が、クロック信号の出力を、データ信号に対し、データ依存性ジッタ（ＤＤＪ）以下の時間遅延させる遅延機能を有する。そして、このように、クロック信号の遅延量ｔｄを調整することにより、データ信号が符号化されていない場合に発生するデータ依存性ジッタによるクロック信号出力のタイミングのゆらぎの影響を抑えることができる。以下、光伝送システム１００の特徴である遅延手段６の一例について、説明する。
【０１４２】
遅延手段６としては、電気伝送路５の電気配線長を設定して上記遅延機能を持たせる手段、または、受信処理部３５に入力されるクロック信号波形を調整して上記遅延機能を持たせる手段が挙げられる。
【０１４３】
（遅延手段６としての電気伝送路５）
データ信号に対するクロック信号の遅延量を、データ依存性ジッタ（ＤＤＪ）以下の時間に調整する場合、数１００ｐｓ（ピコ秒）オーダーでの調整が必要になる。従来の遅延素子（例えば補償素子）は、クロック信号の遅延量（遅延時間）が離散的になるため、光伝送システム１００の遅延手段６として用いることができない。また、遅延素子としてＩＣを用いた場合においても、プロセスばらつき、温度ばらつき、電源ばらつき等の影響により、遅延手段６によるクロック信号の遅延量の調整には不向きである。
【０１４４】
このように、従来光伝送システムに用いられた遅延素子を、遅延手段６に適用することができない背景には、以下の以下のことが挙げられる。すなわち、光配線を伝送する信号と電気配線を伝送する信号との間の信号遅延量は、そもそも非常に大きく、数ｎｓ（ナノ秒）である。そして、従来の遅延素子が対象とするクロック信号の遅延量の調整が、数ｎｓ（ナノ秒）での調整であることが背景となっている。また、このような遅延素子の搭載は、電子機器のサイズの増大、及び消費電力の増大を招いてしまい、折り畳み式携帯電話機といった電子機器内の配線の用途には現実的でないといった背景がある。
【０１４５】
遅延手段６のように、データ信号に対するクロック信号の遅延量を数１００ｐｓ（ピコ秒）オーダーで調整する場合、電気伝送路５の電気配線長を設定することが効果的である。
【０１４６】
図１１は、電気伝送路５を遅延手段６として用いた場合の、電気伝送路５の配線長と、光伝送路４の配線長との関係を説明するための説明図である。
【０１４７】
Ｎビット連続信号のデータ依存性ジッタをＤＤＪ（ｍａｘ）とし、光送信部２における信号遅延時間をＴ（ｉｃ１）とし、光受信部３における信号遅延時間Ｔ（ｉｃ２）とし、光伝送路４の配線長をＬ１とし、電気伝送路５の配線長をＬ２とすると、以下の式（１）が成立する。
【０１４８】
【数１１】
2010124437.tif 000013
【０１４９】
ここで、ｎは光伝送路４のコア部の屈折率であり、ｃは光速であり、εｒは電気伝送路５の比誘電率である。
【０１５０】
また、式（１）中のＤＤＪ（ｍａｘ）／Ａは、データ信号の立ち上がり開始時間に対するクロック信号の遅延量を示す。上述の説明を考慮すると、式（２）中のＡは、１よりも大きい数値であれば設定可能であり、好ましくは、３／２以上であり、特に好ましくは２である。
【０１５１】
上記式（１）を満たすように、電気伝送路５の配線長Ｌ２を設定することにより、クロック信号の出力を、データ信号に対し、データ依存性ジッタ（ＤＤＪ）以下の時間だけ遅延させることができる。
【０１５２】
また、上記式（１）に基づけば、クロック信号の出力をデータ依存性ジッタ（ＤＤＪ）以下の時間だけ遅延させるために必要なパラメータは、電気伝送路５の配線長Ｌ２、及び電気伝送路５を構成する材料の比誘電率εｒのみである。それゆえ、従来の遅延素子やＩＣを用いてクロック信号の遅延量を調整する場合と比較して、信号のばらつきが小さい調整が可能になる。特に、クロック信号の遅延量をデータ依存性ジッタ（ＤＤＪ）の１／２に調整する場合、高い精度が要求されるので、上記の電気伝送路５の配線長・比誘電率による遅延量の調整は有効である。
【０１５３】
また、遅延手段６として電気伝送路５を用いる場合、電気伝送路５がＦＰＣ（フレキシブルプリント基板）に集積された構成を採用することが好ましい。このような構成とすることにより、信号のばらつきを抑えるとともに、電気伝送路５として、省スペースであり、かつフレキシブルな配線を実現することができる。
【０１５４】
以下、遅延手段６としての電気伝送路５の構成について説明する。
【０１５５】
（構成例１）
図１２は、構成例１としての電気伝送路５の構成を示す断面図である。同図に示されるように、電気伝送路５は、集積基板５ａに集積されている。そして、この集積基板５ａにおける伝送方向の配線長Ｌ１は、光伝送路４の配線長と同一になっている。このように集積基板５ａの伝送方向の寸法を光伝送路４と同じにすることにより、電気伝送路５の外形、幅に影響を与えず、データ依存性ジッタによるクロック信号出力のタイミングのゆらぎの影響を抑えることができる。それゆえ、電気伝送路５の省スペース化を実現することができる。
【０１５６】
また、同図に示されるように、集積基板５ａは、フレキシブルプリント基板（ＦＰＣ）であり、その上に電気伝送路５が配線パターンとして形成されている。このように集積基板５ａ上で電気伝送路５の配線パターンを形成することにより、容易に電気伝送路５の配線長を調整することができる。さらに、電気伝送路５は、集積基板５ａの信号伝送方向の一端で、少なくとも１回往復するようにパターン形成されている。このように電気伝送路５をパターン形成することにより、往復回数でクロック信号の遅延量を調整することできる。また、例えば各往復の長さが異なるようにパターン化することにより、精度よくクロック信号の遅延量を調整することができる。
【０１５７】
集積基板５ａに形成された配線パターン（電気伝送路５）は、Ｌ（μｍ）／Ｓ（μｍ）＝５０／５０程度であり、配線の幅がトータル１００μｍであることが好ましい。また、配線の長さが１００ｍｍである場合、往復回数を２回〜４回となるように配線パターンを形成することにより、クロック信号の遅延量を５００ｐｓ〜５０００ｐｓにすることが可能になる。
【０１５８】
また、集積基板５ａをフレキシブルプリント基板（ＦＰＣ）とすることにより、電気伝送路５の配線パターンの微細化を実現できる。これにより、集積基板５ａの幅の増大させることなく、クロック信号の遅延量を調整することができる。また、クロック信号の遅延量の調整のためのパラメータも少ないため、遅延手段６としては最適である。
【０１５９】
また、電気伝送路５が形成された集積基板５ａと、光伝送路４とは、一体で形成されていてもよく、別体で形成されていてもよい。
【０１６０】
特に、集積基板５ａと光伝送路４とが一体で形成された一体型モジュールとすることにより、モジュールとして閉じた系でクロック信号の遅延量を調整することができる。このため、アプリケーションにより配線（電気伝送路５）の長さが変更された場合でも、モジュール内の回路構成や遅延素子を変更せずに、クロック信号の遅延量を調整することができる。このような調整は、従来のように回路が外付けされた構成では困難である。
【０１６１】
また、構成例１によれば、光伝送モジュール１のサイズ・コストを増加させることなく、変形自由度を損なわずに、信号伝送品質を良好に保つことが可能になる。また、上記のように、配線パターンの配線長の微調整が可能であり、高精度な遅延量調整を実現できる。
【０１６２】
なお、集積基板５ａは、フレキシブルプリント基板（ＦＰＣ）が複数積層された多層ＦＰＣであってもよい。また、シールドが付与されたフレキシブルプリント基板（ＦＰＣ）、または、両面フレキシブルプリント基板（ＦＰＣ）であってもよい。
【０１６３】
また、電気伝送路５は、フレキシブルプリント基板（ＦＰＣ）の幅やシールド構造により、電気伝送路の配線パラメータとしてのＲ（抵抗）やＣ（容量）が、クロック信号の遅延量調整のために、最適な値に調整されていてもよい。
【０１６４】
（構成例２）
図１３（ａ）〜（ｃ）は、構成例２としての電気伝送路５の構成を示し、図１３（ａ）は断面図であり、図１３（ｂ）は、光伝送モジュール搭載面から見た上面図であり、図１３（ｃ）は、電気配線層の構成を示す上面図である。
【０１６５】
図１３（ａ）〜（ｃ）に示されるように、集積基板５ａは、光伝送路４よりも信号伝送方向に突出し、かつ、光伝送モジュール１が搭載されている突出部５ｂを有している。この突出部５ｂは、電気配線５ｄがパターン形成された電気配線層５ｃを有している。また、突出部５ｂにおける光伝送モジュール１の搭載面５ｂ’には、クロック信号を入力するためのスルーホール５ｅが形成されている。このスルーホール５ｅは、電気配線５ｄと接続している。（図１３（ａ）及び（ｃ）参照）さらに、電気配線層５ｃには、スルーホール５ｆが形成されている。このスルーホール５ｆは、電気伝送路５と接続している。
【０１６６】
このように、集積基板５ａに別途突出部５ｂが設けられた構成とし、この突出部５ｂ内に電気配線層５ｃを形成することで、クロック信号の遅延量を調整することが可能になる。また、電気配線５ｄのパターンを、電気配線層５ｃの面内で１００μｍ程度の間隔で繰り返し折り返したパターンとすることで、集積基板５ａの外形を変えずに、電気伝送路５の配線長を実質的に長くすることができる。
【０１６７】
さらに、この突出部５ｂを、外部と接続するためのコネクタの接続部分とすることで、コネクタ外形に影響なく、クロック信号の遅延量を調整することができ、省スペース化を実現することができる。
【０１６８】
（構成例３）
図１４は、構成例３としての電気伝送路５の構成を示す上面図である。同図に示されるように、構成例３では、コネクタ部に形成されたコネクタ端子７と電気伝送路５とが接続した構成になっている。
【０１６９】
コネクタ端子７は、外部と光伝送モジュール１及び電気伝送路５と接続する端子である。そして、コネクタ端子７にはクロック信号が入力されている。また、電気伝送路５は、同軸状に複数並んでおり、それぞれの電気伝送路５がコネクタ端子７と接続している。
【０１７０】
また、コネクタ部には、コネクタ端子７間を短絡させるコネクタ短絡部７ａが設けられている。コネクタ短絡部７ａは、電気伝送路５における入力側と出力側とで、クロック信号が往復して伝送するように配されている。
【０１７１】
このような構成とすることにより、集積基板５ａの外形を変えずに、電気伝送路５の配線長を実質的に長くすることができる。また、コネクタ端子７間にコネクタ短絡部７ａが設けられているので、電気伝送路５のインピーダンスが安定している。それゆえ、クロック信号の波形制御が容易になる。
【０１７２】
（構成例４）
図１５は、構成例４としての光伝送システム１００の構成を示す図である。
【０１７３】
同図に示されるように、光伝送システム１００は、遅延手段６として、入力された信号のレベルとしきい値のレベルとを比較し、比較結果に基づいて、データ信号及びクロック信号それぞれについて、高レベルの信号と低レベルの信号とを有する２値信号を生成する２値信号生成部３６（第２の２値信号生成部）を有している。
【０１７４】
同図に示されるように、２値信号生成部３６において、クロック信号に対するしきい値電圧(CLK)（第２のしきい値）のレベルが、データ信号に対するしきい値電圧(Data)（第１のしきい値）のレベルよりも高く設定されている。
【０１７５】
２値信号生成部３６では、入力される信号について、しきい値電圧よりも高い電圧は「ＨＩＧＨ」と認識される。また、しきい値電圧よりも低い電圧は「ＬＯＷ」と認識される。それゆえ、上記のように、クロック信号に対するしきい値電圧(CLK)のレベルが、データ信号に対するしきい値電圧(Data)のレベルよりも高くなっていると、２値信号生成部３５ａから出力したクロック信号は、データ信号に対し遅延することになる。
【０１７６】
このクロック信号の遅延量がデータ依存性ジッタ（ＤＤＪ）の最大値以下の時間になるように、しきい値電圧(CLK)及びしきい値電圧(Data)が設定されることで、データ依存性ジッタによるクロック信号出力のタイミングのゆらぎの影響を抑えることができる。
【０１７７】
具体的には、データ信号及びクロック信号における、立ち上がり時間、及び振幅をそれぞれ、ｔｒ、及びＶｏｄとし、しきい値電圧(CLK)としきい値電圧(Data)との差をΔＶｔｈとし、クロック信号の遅延量をｔｄとしたとき、
上記遅延量ｔｄが、下記式（２）
【０１７８】
【数１２】
2010124437.tif 000014
【０１７９】
を満たし、かつ、データ依存性ジッタ（ＤＤＪ）の最大値以下の時間とする。
【０１８０】
（構成例５）
また、遅延手段６は、２値信号生成部３６に入力される信号の波形を調整するものであってもよい。図１６は、構成例５における、２値信号生成部３６に入力される信号を示す図である。同図に示されるように、遅延手段６は、２値信号生成部３６に入力する信号に対し、クロック信号の立ち上がり時間をデータ信号の立ち上がり時間よりも長くする処理を行う。なお、「信号の立ち上がり時間」は、一般的に、信号電圧値ａから信号電圧値ｂへ遷移するまでに要する時間を指す。そして、通常、「信号の立ち上がり時間」は、図１７に示されるｔｒにより定義される。すなわち、信号の立ち上がり時間ｔｒは、信号振幅Ｖｏｄの２０％に達した時間と信号振幅Ｖｏｄの８０％に達した時間との差として定義される。
【０１８１】
上記の構成によれば、クロック信号の立ち上がり時間がデータ信号の立ち上がり時間よりも長くなっている。つまり、クロック信号と比較して、データ信号が早く立ち上がっている。それゆえ、２値信号生成部３６に入力するクロック信号は、データ信号と比較して、波形がなまった状態になる。そして、２値信号生成部３６から出力した信号について、クロック信号は、データ信号に対し遅延することになる。
【０１８２】
遅延手段６は、このクロック信号の遅延量が、データ依存性ジッタ（ＤＤＪ）の最大値以下の時間になるように、データ信号及びクロック信号の立ち上がり時間を調整する処理を行う。それゆえ、データ依存性ジッタによるクロック信号出力のタイミングのゆらぎの影響を抑えることができる。さらには、データ依存性ジッタの低減と遅延の補償とを同時に実現することができる。また、上記のように、クロック信号と比較して、データ信号を早く立ち上がっていると、その分スルーレートが大きくなり、ジッタが小さくなるという効果を奏する。
【０１８３】
具体的には、遅延手段６は、データ信号の立ち上がり時間とクロック信号の立ち上がり時間との差をΔｔｒとし、データ信号及びクロック信号の振幅をＶｏｄとし、上記しきい値をＶｔｈとし、上記遅延量をｔｄとしたとき、上記遅延量ｔｄは、下記式（３）
【０１８４】
【数１３】
2010124437.tif 000015
【０１８５】
を満たし、かつ、データ依存性ジッタ（ＤＤＪ）の最大値以下の時間とする処理を行う。このようにクロック信号の遅延量を調整することで、データ依存性ジッタによるクロック信号出力のタイミングのゆらぎの影響を抑えることができる。
【０１８６】
なお、上記の遅延手段６による立ち上がり時間の調整は、電気伝送路５のＲ（抵抗）やＣ（容量）を調整することで実現できる。また、遅延手段６は、光伝送モジュール１の光送信部２または光受信部３から出力される、データ信号及びクロック信号について、上記の立ち上がり時間の調整を行うことができる。さらには、遅延手段６は、送信処理部２５としてのシリアライザーから出力される信号について、上記の立ち上がり時間の調整を行うことができる。
【０１８７】
また、遅延手段６が、クロック信号及びデータ信号の振幅について、クロック信号の方が小さくなるように調整することで、クロック信号のより大きな遅延量を得ることができる。
【０１８８】
また、遅延手段６は、上記構成例４と組み合わせて、クロック信号に対するしきい値電圧(CLK)のレベルを、データ信号に対するしきい値電圧(Data)のレベルよりも高くする処理を行うことで、さらにクロック信号の遅延量を大きくすることができる。この場合、遅延手段６として電気伝送路５を用いた構成と併用すると、この電気伝送路５の配線長を小さく設定することができる。このため、さらなる省スペース化を実現することができる。
【０１８９】
なお、構成例５における遅延手段６は、上述したとおり、２値信号生成部３６に入力する信号について、データ信号の波形と比較して、クロック信号の波形がなまった状態にするという機能を有する。それゆえ、構成例５における遅延手段６は、２値信号生成部３６に入力する信号の波形を調整する波形調整手段であると表現することができる。
【０１９０】
（構成例６）
一般的に、光伝送モジュール１の光送信部２または光受信部３に用いられるＩＣは、電子の移動速度が低温で上昇する傾向になる。それゆえ、光伝送システム１００を搭載した電子機器について、周囲の温度が低くなると、光送信部２または光受信部３での、クロック信号に対するデータ信号の遅延量が小さくなる。光伝送システム１００は、クロック信号の遅延量を、このような光伝送モジュール１の信号遅延の温度特性に基づいて決定する第２の遅延手段を備えていてもよい。図１８は、第２の遅延手段によるクロック信号の遅延を説明するための図であり、図１８（ａ）は、光伝送モジュール１の信号遅延の温度特性を示すグラフであり、図１８（ｂ）は、構成例６の光伝送システム１００における、データ信号とクロック信号との関係を示すタイミングチャートである。
【０１９１】
図１８（ａ）に示されるように、クロック信号に対するデータ信号の遅延量は、温度Ｔが上昇するに従い、大きくなっている。光伝送モジュール１の使用温度範囲における下限温度Ｔ１での遅延量と常温Ｔｒにおける遅延量との差をΔ２とすると、第２の遅延手段は、データ信号に対し、クロック信号を遅延量Δ２遅延する処理を行っている。これにより、広範な温度範囲に渡って良好な信号伝送品質を維持できる光伝送システム１００を実現できる。
【０１９２】
また、光伝送システム１００は、第１の遅延手段としての遅延手段６と、上述した第２の遅延手段との両方を備えた構成であってもよい。この場合、図１８（ｂ）に示されるように、受信処理部３５から出力されたクロック信号は、データ信号に対し、第１の遅延手段による遅延量ｔｄに加え、第２の遅延手段による遅延量Δ２遅延することになる。これにより、最もスキュー仕様が厳しい温度でも、クロック信号の立ち上がり開始時間に対する、データ依存性ジッタによるデータ信号の立ち上がり開始時間の分布を対称な分布とすることが可能になる。それゆえ、データ信号のビット連続数が増加した場合でも、データ依存性ジッタ（ＤＤＪ）による影響を抑えることができるととにもに、広範な温度範囲に渡って良好な信号伝送品質を維持できる。
【０１９３】
（応用例）
なお、本実施形態の光伝送システム１００は、例えば以下のような応用例に適用することが可能である。上述した実施形態では、応用例として携帯電話機４０に適用した例を用いて説明したが、これに限定されるものではなく、折り畳み式ＰＨＳ（Personal Handy phone System）、折り畳み式ＰＤＡ（Personal Digital Assistant）、折り畳み式ノートパソコン等の折り畳み式の電子機器のヒンジ部等にも適用することができる。
【０１９４】
光伝送システム１００を、これらの折り畳み式電子機器に適用することにより、限られた空間で高速、大容量の通信を実現できる。したがって、例えば、折り畳み式液晶表示装置などの、高速、大容量のデータ通信が必要であって、小型化が求められる機器に特に好適である。このような信号伝送においては、電気伝送路５を伝送するクロック信号は、低速であることが好ましい。
【０１９５】
また、近年折り畳み式携帯電話機においては、各種通信方式への対応のため、図１９（ａ）及び図１９（ｂ）に示されように、ヒンジ部４１にアンテナ２４が搭載されることが多い。また、アンテナ２４は、５本以上搭載されることが多い。このような場合、主制御基板２０とアプリケーション回路基板３０との間を通常の電気配線で接続すると、電気配線からの発生するＥＭＩにより、アンテナ２４の受信感度が劣化してしまう。
【０１９６】
一方、光伝送システム１００を搭載した折り畳み式携帯電話機では、光伝送路４から発生するＥＭＩは０であり、低速のクロック信号を伝送する電気伝送路５から発生するＥＭＩも非常に小さい。それゆえ、アンテナ２４の受信感度を劣化させることなく、高速データ伝送を実現することができる。また、より高速にデータ伝送するために、光伝送システム１００は、図１９（ｂ）に示されるように、２本以上のデータレーンに対応させて、２本以上の光伝送路４が搭載された構成であってもよい。
【０１９７】
さらなる応用例として、光伝送システム１００は、印刷装置（電子機器）におけるプリンタヘッドやハードディスク記録再生装置における読み取り部など、駆動部を有する装置にも適用できる。
【０１９８】
図２０（ａ）〜図２０（ｃ）は、光伝送システム１００を印刷装置５０に適用した例を示している。図２０（ａ）は、印刷装置５０の外観を示す斜視図である。この図に示すように、印刷装置５０は、用紙５４の幅方向に移動しながら用紙５４に対して印刷を行うプリンタヘッド５１を備えており、このプリンタヘッド５１に光伝送モジュール１の一端が接続されている。
【０１９９】
図２０（ｂ）は、印刷装置５０における、光伝送システム１００が適用されている部分のブロック図である。この図に示すように、光伝送システム１００の一端部はプリンタヘッド５１に接続されており、他端部は印刷装置５０における本体側基板に接続されている。なお、この本体側基板には、印刷装置５０の各部の動作を制御する制御手段などが備えられる。
【０２００】
図２０（ｃ）及び図２０（ｄ）は、印刷装置５０においてプリンタヘッド５１が移動（駆動）した場合の、光伝送路４の湾曲状態を示す斜視図である。この図に示すように、光伝送路４をプリンタヘッド５１のような駆動部に適用する場合、プリンタヘッド５１の駆動によって光伝送路４の湾曲状態が変化するとともに、光伝送路４の各位置が繰り返し湾曲される。
【０２０１】
したがって、本実施形態にかかる光伝送システム１００は、これらの駆動部に好適である。また、光伝送システム１００をこれらの駆動部に適用することにより、駆動部を用いた高速、大容量通信を実現できる。
【０２０２】
図２１は、光伝送システム１００をハードディスク記録再生装置６０に適用した例を示している。
【０２０３】
この図に示すように、ハードディスク記録再生装置６０は、ディスク（ハードディスク）６１、ヘッド（読み取り、書き込み用ヘッド）６２、基板導入部６３、駆動部（駆動モータ）６４、光伝送モジュール１を備えている。
【０２０４】
駆動部６４は、ヘッド６２をディスク６１の半径方向に沿って駆動させるものである。ヘッド６２は、ディスク６１上に記録された情報を読み取り、また、ディスク６１上に情報を書き込むものである。なお、ヘッド６２は、光伝送モジュール１を介して基板導入部６３に接続されており、ディスク６１から読み取った情報を光信号として基板導入部６３に伝搬させ、また、基板導入部６３から伝搬された、ディスク６１に書き込む情報の光信号を受け取る。
【０２０５】
このように、光伝送モジュール１をハードディスク記録再生装置６０におけるヘッド６２のような駆動部に適用することにより、高速、大容量通信を実現できる。
【０２０６】
本実施形態の光伝送システム１００は、上記の応用例に加え、ビデオカメラ、ノートパソコン等の情報端末や基板間の信号伝送にも利用可能である。
【０２０７】
本発明は上述した実施形態に限定されるものではなく、請求項に示した範囲で種々の変更が可能であり、実施形態にそれぞれ開示された技術的手段を適宜組み合わせて得られる実施形態についても本発明の技術的範囲に含まれる。
【産業上の利用可能性】
【０２０８】
本発明は、各種機器間の光通信路にも適用可能であるとともに、小型、薄型の民生機器内に搭載される機器内配線としてのフレキシブルな光配線にも適用可能である。
【図面の簡単な説明】
【０２０９】
【図１】（ａ）は、本実施形態の折り畳み式携帯電話機内に設けられた光伝送システムの概略構成を示すブロック図であり、本実施の形態に係る携帯電話機における、光伝送モジュールの概略構成を示すブロック図である。
【図２】（ａ）は本実施形態の光伝送モジュールを内蔵した折り畳み式携帯電話機の外観を示す斜視図である。（ｂ）は、（ａ）におけるヒンジ部（破線で囲んだ部分）の透視平面図である。
【図３】（ａ）は、光伝送路の側面図であり、（ｂ）は、光伝送路における光伝送の状態を模式的に示している図である。
【図４】電気伝送路がＦＰＣで構成されている場合の光伝送モジュールの概略構成を示す斜視図である。
【図５】（ａ）は、第１の遅延手段を備えた光伝送システムの概略構成を示すブロック図であり、（ｂ）は、（ａ）の光伝送システムにおける、データ信号とクロック信号との関係を示すタイミングチャートである。
【図６】（ａ）は、光伝送モジュールを伝送するデータ信号を模式的に示した模式図であり、（ｂ）は、データ信号におけるデータ依存性ジッタ（ＤＤＪ）と、クロック信号の遅延量との関係を示した図である。
【図７】（ａ）は、データ信号のタイミング揺らぎを構成するジッタを示した模式図であり、（ｂ）は、（ａ）に示されたジッタの和としてのデータ信号のタイミング揺らぎの分布を示した模式図である。
【図８】データ依存性ジッタの影響によるデータ信号の立ち上がりのタイミングの揺らぎの分布を示し、（ａ）は、ビット連続数が１〜ｎの一般的なデータ信号の立ち上がりのタイミングの揺らぎの分布を示す図であり、（ｂ）は、８ｂ１０Ｂ符号化されたデータ信号の立ち上がりのタイミングの揺らぎの分布を示す図である。
【図９】（ａ）は、光受信部におけるデータ信号の信号振幅の損失とデータ依存性ジッタとの関係を説明するための説明図であり、（ｂ）は、光受信部に備えられたＡＭＰ回路（増幅部）の周波数特性を示し、周波数と利得との関係を示したグラフである。
【図１０】（ａ）は、データ信号としてのＲＧＢ信号におけるビット連続数を説明するための説明図であり、（ｂ）は、データ信号としてのＣＰＵ信号におけるビット連続数を説明するための説明図である。
【図１１】電気伝送路を遅延手段として用いた場合の、電気伝送路の配線長と、光伝送路の配線長との関係を説明するための説明図である。
【図１２】構成例１としての電気伝送路の構成を示す断面図である。
【図１３】構成例２としての電気伝送路の構成を示し、（ａ）は断面図であり、（ｂ）は、光伝送モジュール搭載面から見た上面図であり、（ｃ）は、電気配線層の構成を示す上面図である。
【図１４】構成例３としての電気伝送路の構成を示す上面図である。
【図１５】図１５は、構成例４としての光伝送システムの構成を示す図である。
【図１６】構成例５における、２値信号生成部に入力される信号を示す図である。
【図１７】「信号の立ち上がり時間」を説明するためのグラフである。
【図１８】第２の遅延手段によるクロック信号の遅延を説明するための図であり、（ａ）は、光伝送モジュールの信号遅延の温度特性を示すグラフであり、（ｂ）は、構成例６の光伝送システムにおける、データ信号とクロック信号との関係を示すタイミングチャートである。
【図１９】（ａ）及び（ｂ）は、ヒンジ部にアンテナが搭載された携帯電話機の構成を示すブロック図である。
【図２０】（ａ）は、本実施形態の光伝送システムを備えた印刷装置の外観を示す斜視図であり、（ｂ）は、（ａ）に示した印刷装置の主要部を示すブロック図であり、（ｃ）および（ｄ）は、印刷装置においてプリンタヘッドが移動（駆動）した場合の、光伝送路の湾曲状態を示す斜視図である。
【図２１】本実施形態の光伝送システムを備えたハードディスク記録再生装置の外観を示す斜視図である。
【図２２】特許文献１に記載された送受信装置の構成を示すブロック図である。
【図２３】ビット連続によるデータ依存ジッタ（ＤＤＪ）の発生を模式的に示した模式図である。
【図２４】（ａ）は、データ依存性ジッタが発生していないデータ信号とクロック信号との関係を示すタイミングチャートであり、（ｂ）は、データ依存性ジッタが発生しているデータ信号とクロック信号との関係を示すタイミングチャートである。
【符号の説明】
【０２１０】
１    光伝送モジュール
２    光送信部
２１    Ｉ／Ｆ回路
２２    発光駆動部
２３    発光部
２９    ＣＰＵ
３    光受信部
３１    受光部
３２    検出回路
３３    増幅部
３４    Ｉ／Ｆ回路
４    光伝送路
５    電気伝送路
５ａ    集積基板
５ｂ    突出部
５ｃ    電気配線層
６    遅延手段（第１の遅延手段）
７    コネクタ端子
７ａ    コネクタ短絡部
２５    送信処理部
３５    受信処理部（受信処理手段）
３６    ２値信号生成部（第２の２値信号生成部）
１００  光伝送システム
【図１】
2010124437.tif 000020
【図２】
2010124437.tif 000021
【図３】
2010124437.tif 000022
【図４】
2010124437.tif 000023
【図５】
2010124437.tif 000024
【図６】
2010124437.tif 000025
【図７】
2010124437.tif 000026
【図８】
2010124437.tif 000027
【図９】
2010124437.tif 000028
【図１０】
2010124437.tif 000029
【図１１】
2010124437.tif 000030
【図１２】
2010124437.tif 000031
【図１３】
2010124437.tif 000032
【図１４】
2010124437.tif 000033
【図１５】
2010124437.tif 000034
【図１６】
2010124437.tif 000035
【図１７】
2010124437.tif 000036
【図１８】
2010124437.tif 000037
【図１９】
2010124437.tif 000038
【図２０】
2010124437.tif 000039
【図２１】
2010124437.tif 000040
【図２２】
2010124437.tif 000041
【図２３】
2010124437.tif 000042
【図２４】
2010124437.tif 000043